(57)【要約】【課題】コンパクトに収納可能な組み立て式床の間を提供すること。【解決手段】組み立て式床の間１は、床板２と、床板２に立設され高さ方向に複数段重ねて載置される第１屏風部３、第２屏風部４および第３屏風部５と、高さ方向に隣り合う屏風部を着脱可能に互いに連結する連結機構９と、最上段に載置される第３屏風部５の上部に架設される天板連結部６と、各屏風部３〜５は、複数の仕切板部３１〜３４，４１〜４４，５１〜５４を有し折り畳み可能とされる。そのため、各屏風部３〜５は、連結機構９の連結状態を解除した上で、隣り合う仕切板部の継ぎ目で折り畳むことによって、コンパクトに収納することができる。【選択図】図５
0003217234.tif 000002
【実用新案登録請求の範囲】
【請求項１】
床板と、
前記床板に立設され高さ方向に複数段重ねて載置される複数の屏風部と、
前記複数の屏風部のうち、高さ方向に隣り合う屏風部を着脱可能に互いに連結する連結機構と、
前記複数の屏風部のうち、最上段に載置される屏風部の上部に架設される天板連結部と、を備え、
前記屏風部は、複数の仕切板部を有し折り畳み可能とされる
ことを特徴とする組み立て式床の間。
【請求項２】
請求項１に記載の組み立て式床の間において、
前記床板は、前記複数の屏風部のうち、最下段に載置される前記屏風部の下部と係合する第１係合溝を有する
ことを特徴とする組み立て式床の間。
【請求項３】
請求項１または請求項２に記載の組み立て式床の間において、
前記天板連結部は、前記最上段に載置される屏風部の上部と係合する第２係合溝を有する
ことを特徴とする組み立て式床の間。
【請求項４】
請求項１から請求項３のいずれか一項に記載の組み立て式床の間において、
前記複数の屏風部はそれぞれ４枚の前記仕切板部を有する
ことを特徴とする組み立て式床の間。
【請求項５】
請求項１から請求項４のいずれか一項に記載の組み立て式床の間において、
前記仕切板部には、絵柄が表示された面状部材が貼付される
ことを特徴とする組み立て式床の間。
【考案の詳細な説明】
【技術分野】
【０００１】
本考案は組み立て式床の間に関する。
【背景技術】
【０００２】
床の間は、日本建築における座敷飾りの一つであり、書画や置物等の美術品を飾る神聖な場所とされている。特に茶室においては、主催者である亭主のおもてなしの心が映し出される最も重要な空間とされている。
【０００３】
しかし、昨今のライフスタイルの変化や住宅事情等により、床の間を持たない住宅が増加している。このような住宅において、お茶会等の催し事を開催する際に、臨時的に組み立てて使用する床の間が提案されている（例えば、特許文献１）。
【０００４】
特許文献１では、互いに開閉可能に連接した左右一対の左右衝立板と、当該左右衝立板を所定角度になして立設させる連結部材と、左右衝立板の前面に配設可能な置き床とを組み立てることにより、任意の場所に床の間を再現できるようにしている。これにより、床の間を作る余裕のなかった住宅においても、日本の伝統文化に浸ることができるようにしている。
【先行技術文献】
【特許文献】
【０００５】
【特許文献１】特開２００１−２０７６３４号公報
【考案の概要】
【考案が解決しようとする課題】
【０００６】
ところで、イベント会場等の自宅以外の場所でお茶会等を開催することがある。このような場合、特許文献１に記載のような組み立て式の床の間を運び込んで利用することがある。
しかし、特許文献１の組み立て式床の間は、壁面を構成する左右衝立板のサイズが縦１７８０ｍｍ、横４８５ｍｍと非常に大きく、一般の宅配便で運送可能なサイズを超えてしまっている。そのため、収納された状態でも大型荷物として運送しなければならないといった問題がある。その結果、運送料金が高くなってしまう。
【０００７】
本考案の目的は、コンパクトに収納可能な組み立て式床の間を提供することにある。
【課題を解決するための手段】
【０００８】
本考案の組み立て式床の間は、床板と、前記床板に立設され高さ方向に複数段重ねて載置される複数の屏風部と、前記複数の屏風部のうち、高さ方向に隣り合う屏風部を着脱可能に互いに連結する連結機構と、前記複数の屏風部のうち、最上段に載置される屏風部の上部に架設される天板連結部と、を備え、前記屏風部は、複数の仕切板部を有し折り畳み可能とされることを特徴とする。
【０００９】
このような本考案では、床板に立設され高さ方向に重ねて載置された複数の屏風部が、組み立て式床の間の壁面を構成する。そして、高さ方向に隣り合う屏風部は連結機構によって着脱可能に連結されている。そのため、各屏風部は、連結機構の連結状態を解除した上で、隣り合う仕切板部の継ぎ目で折り畳むことができるので、コンパクトに収納することができる。したがって、一般の宅配便等で運送することができ、運送料金を低くすることができる。
【００１０】
本考案において、前記床板は、前記複数の屏風部のうち、最下段に載置される前記屏風部の下部と係合する第１係合溝を有することが望ましい。
このような本考案では、最下段の屏風部を床板の第１係合溝に係合させることで、これらを連結することができる。そのため、最下段の屏風部を床板に安定して立設させることができる。
また、屏風部と床板とを連結させる際に、締結具等の治具を取り付ける必要がなく、組み立てを容易にすることができる。
【００１１】
本考案において、前記天板連結部は、前記最上段に載置される屏風部の上部と係合する第２係合溝を有することが望ましい。
このような本考案では、最上段の屏風部を天板連結部の第２係合溝に係合させることで、これらを連結することができる。そのため、地震等の揺れによって天板連結部が屏風部から落下することを防ぐことができる。
また、屏風部と天板連結部とを連結させる際に、締結具等の治具を取り付ける必要がなく、組み立てを容易にすることができる。
【００１２】
本考案において、前記複数の屏風部はそれぞれ４枚の前記仕切板部を有することが望ましい。
このような本考案では、複数の屏風部はそれぞれ４枚の仕切板部を有する所謂四曲屏風なので、収納する際に仕切板部の裏面側が外側になるように折り畳むことができる。そのため、運送時等において、仕切板部の表面側が損傷することを防止することができる。
【００１３】
本考案において、前記仕切板部には、絵柄が表示された面状部材が貼付されていることが望ましい。
このような本考案では、仕切板部に貼付された面状部材を貼りかえることによって、設置される場所や季節等に応じて、組み立て式床の間の壁面に表示される絵柄を変更することができ、趣向を凝らした空間を演出することができる。
【図面の簡単な説明】
【００１４】
【図１】本考案の一実施形態に係る組み立て式床の間を示す正面図。
【図２】前記組み立て式床の間の収納状態を示す分解斜視図。
【図３】第１屏風部、第２屏風部および第３屏風部が高さ方向に並んだ状態を示す斜視図。
【図４】仕切面部の連結状態を示す部分拡大図。
【図５】前記組み立て式床の間を組み立てる前の分解斜視図。
【図６】本考案の別の実施形態に係る組み立て式床の間を示す正面図。
【図７】本考案のさらに別の実施形態に係る組み立て式床の間を示す正面図。
【考案を実施するための形態】
【００１５】
以下、本考案の一実施形態に係る組み立て式床の間１を図面に基づいて説明する。
図１は、組み立てられた状態の組み立て式床の間１を示し、図２は、収納された状態の組み立て式床の間１を示す。
図１および図２に示す組み立て式床の間１は、床板２と、床板２に立設され高さ方向に重ねて載置された第１屏風部３、第２屏風部４および第３屏風部５と、第３屏風部５の上部に架設された天板連結部６とを備える。
【００１６】
床板２は、長辺が約１０６０ｍｍ、短辺が約５３０ｍｍ、厚さが約２０ｍｍで平面視略矩形状の平板材から形成されている。そして、床板２には、天板連結部６と対向する側の面である床面２１には、一方の長辺である長辺２１１と、当該長辺２１１に直交する２つの短辺である短辺２１２，２１３とに沿って、平面視略Ｃ字状の第１係合溝２２が凹設されている。
第１係合溝２２は、幅が約１８．５ｍｍ、深さが約１０ｍｍの溝であり、第１屏風部３の下部と係合可能に構成されている。
なお、床板２のサイズは、上記に限られるものではなく、収納した際に一般の宅配便で運送可能なサイズであればよい。
【００１７】
図３は、第１屏風部３、第２屏風部４および第３屏風部５が高さ方向に並んだ状態を示す。なお、図３では、第１屏風部３の内部構造を示すために、後述する面状部材７および下地７１を一部省略して示している。
図３に示すように、第１屏風部３は、第１仕切板部３１、第２仕切板部３２、第３仕切板部３３および第４仕切板部３４の４枚の仕切板部を有する所謂四曲屏風として形成されている。
各仕切板部３１〜３４は、杉等の木材を格子状に組んで形成された枠板に、和紙にて形成された下地７１（図４参照）が貼付された枠３０を有し、さらにその上側に絵柄が表示された面状部材７が貼付されている。
各仕切板部３１〜３４のサイズは、長辺が約７００ｍｍ、短辺が約５００ｍｍ、厚さが約１７ｍｍであり、図２に示すように、隣り合う仕切板部の継ぎ目で折り畳むことにより、縦約７００ｍｍ、横約５００ｍｍ、高さ約７１ｍｍのサイズに第１屏風部３を収納することができる。そのため、第１屏風部３は一般の宅配便を利用して運送することができる。なお、各仕切板部３１〜３４の大きさは、上記のサイズに限られるものではなく、隣り合う仕切板部３１〜３４の継ぎ目で折り畳んで第１屏風部３を収納した際に、一般の宅配便で運送可能な大きさであればよい。
また、第１屏風部３は４枚の仕切板部を有する四曲屏風なので、収納する際に仕切板部の裏面側が外側になるように折り畳むことができる。
なお、仕切板部の構造は、第２屏風部４および第３屏風部５も同様である。
【００１８】
各仕切板部３１〜３４に貼付される面状部材７は、和紙にて形成されており、実際の床の間を撮影した写真の画像が絵柄としてプリントされている。これにより、組み立て式床の間１が設置された空間を、あたかも実際の床の間が設けられた部屋であるかのように演出することができる。
なお、本実施形態における和紙は、ミツマタやコウゾ等の靭皮繊維を原料として手漉きで作られた所謂「和紙」だけでなく、パルプ、マニラ麻、合成繊維、不織布等から和紙の風合いを模して作られたものを含む。後述する、蝶番８を形成する和紙も同様である。
【００１９】
第１仕切板部３１と第２仕切板部３２とのように、隣り合う仕切板部３１〜３４は蝶番８によって連結されている。蝶番８は、各仕切板部３１〜３４の上端付近から下端付近に亘って配置されている。
【００２０】
図４は、第１仕切板部３１と第２仕切板部３２との連結状態を示す。なお、図４では、面状部材７を貼付する前の状態、すなわち、下地７１が露出した状態を示している。
蝶番８は、第１蝶番帯８１、第２蝶番帯８２、第３蝶番帯８３、第４蝶番帯８４、第５蝶番帯８５および第６蝶番帯８６の６枚の蝶番帯を有する。
最上部に配置される第１蝶番帯８１および最下部に配置される第６蝶番帯８６は、幅が約７０ｍｍの帯状の和紙にて形成されている。つまり、第１蝶番帯８１および第６蝶番帯８６の幅は、第１仕切板部３１および第２仕切板部３２の高さの約１０分の１になっている。
また、第１蝶番帯８１と第６蝶番帯８６との間に配置される第２蝶番帯８２〜第５蝶番帯８５は、幅が約１４０ｍｍの帯状の和紙にて形成されている。
このように、本実施形態では、蝶番８は帯状の和紙にて形成されている。
【００２１】
第１蝶番帯８１、第３蝶番帯８３および第５蝶番帯８５は、図４中において、第１仕切板部３１の手前側の面である第１面部３１Ａと、第２仕切板部３２の裏側の面である第２面部３２Ｂとに貼付されて連結されている。この際、これらの蝶番帯８１，８３，８５の第１仕切板部３１と第２仕切板部３２との中間に位置する部分は、いずれの仕切板部３１，３２にも貼付されず、固定されていない状態になっている。
【００２２】
また、第２蝶番帯８２、第４蝶番帯８４および第６蝶番帯８６は、図４中において、第１仕切板部３１の裏側の面である第２面部３１Ｂと、第２仕切板部３２の手前側の面である第１面部３２Ａとに貼付されて連結されている。この際、これらの蝶番帯８２，８４，８６の第１仕切板部３１と第２仕切板部３２との中間に位置する部分は、いずれの仕切板部３１，３２にも貼付されず、固定されていない状態になっている。
すなわち、各蝶番帯８１〜８６において、第１仕切板部３１と第２仕切板部３２との中間に位置する部分は貼付されておらず、固定されていない状態になっている。これにより、第１仕切板部３１と第２仕切板部３２とは、第１面部３１Ａ，３２Ａ側の長辺３１１，３２１に沿った回動軸と、第２面部３１Ｂ，３２Ｂ側の長辺３１２，３２２に沿った回動軸との２つの回動軸にて回動させることができる。そのため、第１仕切板部３１と第２仕切板部３２とは、任意の角度で回動させることができる。
【００２３】
なお、蝶番８の各蝶番帯８１〜８６は、前述した下地７１の上側で、かつ、面状部材７の下側に配置される。つまり、蝶番８は面状部材７の下側に配置されて隠れている。これにより、蝶番８によって見栄えが悪くなることを防ぐことができる。
【００２４】
このような蝶番８による連結状態は、第２仕切板部３２、第３仕切板部３３および第４仕切板部３４についても同様である。つまり、第１屏風部３を構成する各仕切板部３１〜３４は、隣り合う仕切板部に対して任意の角度で回動させることができる。
なお、第２屏風部４および第３屏風部５の仕切板部についても同様である。
【００２５】
図３に戻って、第１屏風部３の各仕切板部３１〜３４の上部には、後述する第２屏風部４の連結孔９２に対応する位置に、連結凸部９１が設けられている。
連結凸部９１は、各仕切板部３１〜３４の上部に挿入孔を設け、この挿入孔に円柱状の所謂ダボ材を上部が突出するように挿入させて形成する。この際、挿入孔に接着剤等を充填し、ダボ材を挿入孔に固定するようにしてもよい。各仕切板部３１〜３４において、連結凸部９１は、所定の間隔を開けて２つずつ設けられている。
この連結凸部９１が後述する第２屏風部４の連結孔９２に挿入されることにより、高さ方向に隣り合う第１屏風部３と第２屏風部４とが着脱可能に連結される。すなわち、連結凸部９１および連結孔９２により連結機構９が構成される。
【００２６】
第２屏風部４は、第１仕切板部４１、第２仕切板部４２、第３仕切板部４３および第４仕切板部４４の４枚の仕切板部を有する。
各仕切板部４１〜４４の下部には、前述したように、第１屏風部３の連結凸部９１に対応する位置に連結孔９２が設けられている。
連結孔９２は、連結凸部９１よりも一回り大きく形成されており、連結凸部９１を着脱可能に挿入することができる。
【００２７】
また、第１屏風部３と同様に、第２屏風部４の各仕切板部４１〜４４の上部には、後述する第３屏風部５の連結孔９４に対応する位置に、連結凸部９３が設けられている。そして、連結凸部９３が第３屏風部５の連結孔９４に挿入されることにより、高さ方向に隣り合う第２屏風部４と第３屏風部５とが着脱可能に連結される。すなわち、連結凸部９３および連結孔９４により連結機構９が構成される。
【００２８】
第３屏風部５は、第１仕切板部５１、第２仕切板部５２、第３仕切板部５３および第４仕切板部５４の４枚の仕切板部を有する。
各仕切板部５１〜５４の下部には、前述したように、第２屏風部４の連結凸部９３に対応する位置に連結孔９４が設けられている。
【００２９】
図１および図２に戻って、天板連結部６は、長辺が約１０６０ｍｍ、短辺が約５３０ｍｍ、厚さが約２０ｍｍで平面視略矩形状の平板材から形成されている。そして、天板連結部６には、床板２に対向する側の面である天井面６１に折釘６２が設けられており、自在等を介して掛け軸等を掛けることができるようになっている。
また、天板連結部６の天井面６１には、一方の長辺である長辺６１１と、当該長辺６１１に直交する２つの短辺である短辺６１２，６１３とに沿って、平面視略Ｃ字状の第２係合溝６３が凹設されている。
第２係合溝６３は、幅が約１８．５ｍｍ、深さが約１０ｍｍの溝であり、第３屏風部５の上部と係合可能に構成されている。
なお、天板連結部６のサイズは、上記に限られるものではなく、収納した際に一般の宅配便で運送可能なサイズであればよい。
【００３０】
次に、組み立て式床の間１の組立方法について説明する。
図５は、組み立て式床の間１の分解斜視図を示す。
まず、組み立て式床の間１を設置したい場所に床板２を配置する。
次に、第１屏風部３の第１仕切板部３１を第２仕切板部３２に対して９０度の角度で回動させ、第４仕切板部３４を第３仕切板部３３に対して９０度の角度で回動させる。そして、第２仕切板部３２と第３仕切板部３３とは１８０度の角度で回動させる。すなわち、第１屏風部３を平面視略Ｃ字状に開く。そして、第１屏風部３の各仕切板部３１〜３４の下部を床板２の第１係合溝２２に係合させて、第１屏風部３を床板２に立設させる。これにより、第１屏風部３と床板２とを連結させることができる。
【００３１】
次に、第２屏風部４を、前述した第１屏風部３と同様に、平面視略Ｃ字状に開き、第１屏風部３の上側に載置させる。この際、第１屏風部３の連結凸部９１を第２屏風部４の連結孔９２に挿入させることにより、第１屏風部３と第２屏風部４とを連結させる。
そして、第３屏風部５を平面視略Ｃ字状に開き、第２屏風部４の上側に載置させる。この際、第２屏風部４の連結凸部９３を第３屏風部５の連結孔９４に挿入させることにより、第２屏風部４と第３屏風部５とを連結させる。
このようにして、第１屏風部３、第２屏風部４、第３屏風部５の順に床板２の上に各屏風部３〜５を複数段重ねて載置する。
【００３２】
最後に、第３屏風部５の各仕切板部５１〜５４の上部を天板連結部６の第２係合溝６３に係合させて、第３屏風部５の上部に天板連結部６を架設させる。これにより、第３屏風部５と天板連結部６とを連結させることができる。
【００３３】
このように、本実施形態の組み立て式床の間１は、床板２に第１屏風部３、第２屏風部４および第３屏風部５を床板２に複数段重ねて載置させ、さらにその上部に天板連結部６を架設させるだけで組み立てることができ、組み立てる際に治具等を必要としないので、組み立てを容易にすることができる。
【００３４】
以上のような本実施形態では、以下の効果がある。
（１）本実施形態の組み立て式床の間１は、床板２と、床板２に立設され高さ方向に複数段重ねて載置される第１屏風部３、第２屏風部４および第３屏風部５と、高さ方向に隣り合う屏風部を着脱可能に互いに連結する連結機構９と、最上段に載置される第３屏風部５の上部に架設される天板連結部６と、各屏風部３〜５は、複数の仕切板部３１〜３４，４１〜４４，５１〜５４を有し折り畳み可能とされる。そのため、各屏風部３〜５は、連結機構９の連結状態を解除した上で、隣り合う仕切板部の継ぎ目で折り畳むことができるので、コンパクトに収納することができる。したがって、一般の宅配便等で運送することができ、運送料金を低くすることができる。
【００３５】
（２）床板２は、最下段に載置される第１屏風部３の下部と係合する第１係合溝２２を有する。これにより、第１屏風部３を床板２の第１係合溝２２に係合させることで、これらを連結することができる。そのため、第１屏風部３を床板２に安定して立設させることができる。さらに、第１屏風部３と床板２とを連結させる際に、締結具等の治具を取り付ける必要がなく、組み立てを容易にすることができる。
【００３６】
（３）天板連結部６は、最上段に載置される第３屏風部５の上部と係合する第２係合溝６３を有する。これにより、第３屏風部５を天板連結部６の第２係合溝６３に係合させることで、これらを連結することができる。そのため、地震等の揺れによって天板連結部６が第３屏風部５から落下することを防ぐことができる。さらに、第３屏風部５と天板連結部６とを連結させる際に、締結具等の治具を取り付ける必要がなく、組み立てを容易にすることができる。
【００３７】
（４）各屏風部３〜５は、それぞれ４枚の仕切板部を有する所謂四曲屏風として形成されている。そのため、各屏風部３〜５を収納する際に仕切板部の裏面側が外側になるように折り畳むことができる。したがって、運送時等において、仕切板部の表面側が損傷することを防止することができる。
【００３８】
（５）仕切板部には、実際の床の間を撮影した写真の画像が絵柄としてプリントされた面状部材７が貼付されている。そのため、組み立て式床の間１が設置された空間を、あたかも実際の床の間が設けられた部屋であるかのように演出することができる。さらに、仕切板部に貼付された面状部材７を貼りかえることによって、設置される場所や季節等に応じて、組み立て式床の間１の壁面に表示される絵柄を変更することができ、趣向を凝らした空間を演出することができる。
【００３９】
（６）隣り合う仕切板部は、第１蝶番帯８１〜第６蝶番帯８６の６枚の蝶番帯を有する蝶番８にて連結されている。そのため、隣り合う仕切板部を任意の角度で回動させることができる。
【００４０】
なお、本考案は前述の実施形態に限定されるものではなく、本考案の目的を達成できる範囲での変形、改良等は本考案に含まれるものである。
前記実施形態では、組み立て式床の間１は、第１屏風部３、第２屏風部４および第３屏風部５の３隻の屏風部を有していたが、これには限定されない。
例えば、図６に示す組み立て式床の間１Ａのように、第２屏風部４と同様の構造を有する第２屏風部４Ａ，４Ｂを高さ方向に並べて設け、４隻の屏風部を有するようにしてもよい。また、図７に示す組み立て式床の間１Ｂのように、第２屏風部４を省略し、第１屏風部３と第３屏風部５との２隻の屏風部を有するようにしてもよく、複数の屏風部を有していればよい。
【００４１】
前記実施形態では、連結凸部９１，９３および連結孔９２，９４により連結機構９が構成されていたが、これに限定されない。例えば、高さ方向に隣り合う屏風部の一方にレール状の係合凸部を設け、他方に当該係合凸部に対応する係合溝を設けて、係合凸部を係合溝に係合させることで、これらを着脱可能に連結してもよい。
【００４２】
前記実施形態では、床板２は、最下段に載置される第１屏風部３の下部と係合する第１係合溝２２を有していたが、これに限定されない。例えば、第１屏風部の下部に係合溝を設け、床板の床面に当該係合溝と係合するレール状の係合凸部を設けて、床板と第１屏風部とを連結させるようにしてもよい。
【００４３】
前記実施形態では、天板連結部６は、最上段に載置される第３屏風部５の上部と係合する第２係合溝６３を有していたが、これに限定されない。例えば、第３屏風部の上部に係合溝を設け、天板連結部の天井面に当該係合溝と係合するレール状の係合凸部を設けて、天板連結部と第３屏風部とを連結させるようにしてもよい。
【００４４】
前記実施形態では、各屏風部３〜５は４枚の仕切板部を有する所謂四曲屏風として形成されていたが、これに限定されず、例えば、２枚の仕切板部を有する所謂二曲屏風として形成されていてもよい。また、６枚の仕切板部を有する所謂六曲屏風として形成されていてもよく、各屏風部は複数の仕切板部を有していればよい。
【００４５】
前記実施形態では、仕切板部には、絵柄として実際の床の間を撮影した写真の画像がプリントされた面状部材７が貼付されていたが、これに限定されない。例えば、絵柄として市松模様がプリントされた面状部材が仕切板部に貼付されていてもよい。この場合、各仕切板の継ぎ目に市松模様の継ぎ目を合せるようにすれば、隣り合う仕切板部の継ぎ目を目立たなくすることができ、見栄えを良くすることができる。
また、仕切板部に無地の面状部材が貼付された場合も、本考案の組み立て式床の間に含まれる。
さらに、前記実施形態では、面状部材７は和紙にて形成されていたが、これに限定されず、例えば、洋紙やフィルム等で形成されていてもよい。
【００４６】
前記実施形態では、蝶番８は、第１蝶番帯８１〜第６蝶番帯８６の６枚の蝶番帯を有していたが、これに限定されない。例えば、蝶番は５枚の蝶番帯を有していてもよく、また、７枚以上の蝶番帯を有していてもよい。
さらに、前記実施形態では、隣り合う仕切板部は、和紙にて形成された蝶番８により連結されていたが、これに限定されない。例えば、隣り合う仕切板部は、金属製の連結部材により連結されていてもよく、隣り合う仕切板部が回動可能に連結されていればよい。この場合、連結部材は、各仕切板部の上端付近から下端付近に亘って配置されていなくてもよく、例えば、高さ方向に所定に間隔を開けて２つ配置されていてもよい。
【００４７】
前記実施形態では、床板２は、平面視略矩形状の板材から形成されていたが、これに限定されない。例えば、平面視略矩形状で角部が角丸状の板材から形成されていてもよく、また、平面視略三角形状や平面視略円形状の板材から形成されていてもよい。
【００４８】
前記実施形態では、天板連結部６は、平面視略矩形状の平板材から形成されていたが、これに限定されない。例えば、図１に二点鎖線で示すように、２本の天板連結部６Ａ，６Ｂを細長い板材で形成し、これらを第３屏風部５の上部に架設するようにしてもよい。これにより、天井面に開口が形成されるので、当該開口から照明光等を組み立て式床の間内に取り込むことができる。この場合、第２係合溝は、略Ｃ字状の溝ではなく、天板連結部６Ａ，６Ｂが延出する方向と直交する方向に直線状に凹設された溝としてもよい。
また、天板連結部は、平面視略矩形状で角部が角丸状の平板材から形成されていてもよく、平面視略三角形状や平面視略円形状の平板材から形成されていてもよい。
さらに、天板連結部６に任意の寸法・形状の貫通孔が形成されていてもよい。このようにすれば、当該貫通孔から照明光等を組み立て式床の間内に取り込むことができる。
【符号の説明】
【００４９】
１，１Ａ，１Ｂ…組み立て式床の間、２…床板、３…第１屏風部、４，４Ａ，４Ｂ…第２屏風部、５…第３屏風部、６，６Ａ，６Ｂ…天板連結部、７…面状部材、７１…下地、８…蝶番、９…連結機構、２１…床面、２２…第１係合溝、３１，４１，５１…第１仕切板部、３２，４２，５２…第２仕切板部、３３，４３，５３…第３仕切板部、３４，４４，５４…第４仕切板部、６１…天井面、６２…折釘、６３…第２係合溝、８１…第１蝶番帯、８２…第２蝶番帯、８３…第３蝶番帯、８４…第４蝶番帯、８５…第５蝶番帯、８６…第６蝶番帯、９１，９３…連結凸部、９２，９４…連結孔。
【図１】
0003217234.tif 000003
【図２】
0003217234.tif 000004
【図３】
0003217234.tif 000005
【図４】
0003217234.tif 000006
【図５】
0003217234.tif 000007
【図６】
0003217234.tif 000008
【図７】
0003217234.tif 000009